【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
電源と、
赤外光源と可視光源とを含む光源であって、前記電源に動作可能に接続される光源と、
第一軸に沿って前記光源に隣接して配置された画像センサであって、前記光源は、前記光源に対して一列または同軸のいずれかである、画像センサと、
前記光源と前記画像センサとの間に、前記第一軸に沿って前記画像センサに対して一列に配置されたレンズと、
前記電源、前記光源、前記画像センサ、もしくは前記レンズ、またはこれらの任意の組み合わせを含み、外部光遮断アイピースを有する開口部をさらに含むハウジング・ユニットであって、前記開口部は、前記レンズの反対側で前記光源に隣接して、前記第一軸に沿って前記レンズに対して一列に配置される、ハウジング・ユニットと
を含む、装置。
【請求項２】
プロセッサと、前記プロセッサによって実行可能なプログラム命令を記憶する有形の記憶デバイスとを含む制御ユニットをさらに含み、前記プログラム命令は、
前記電源を介して前記赤外光源に通電することにより、前記赤外光源によって前記開口部の方向にある時間的期間にわたり赤外光を放出し、
前記画像センサによって前記赤外光の反射を捕捉し、
前記画像センサによって前記捕捉された前記赤外光の反射を分析することによって眼の画像を識別し、
前記画像センサによって前記識別された前記眼の画像を分析することによって前記眼の瞳孔拡張を測定し、
前記プロセッサによって予め構成された拡張測定値以上である第一量によって前記瞳孔が拡張されていることを判断する
命令を含む、請求項１に記載の装置。
【請求項３】
前記プログラム命令は、
前記電源を介して前記可視光源に通電することにより、前記可視光源によって可視光放出のための時間的期間中に少なくとも二つの可視光線を順次放出する
命令をさらに含み、前記少なくとも二つの可視光線は、第一エネルギーを有する第一可視光線と、前記第一エネルギーよりも大きい第二エネルギーを有する第二可視光線とを含む、請求項２に記載の装置。
【請求項４】
前記可視光放出のための時間的期間は、ゼロより大きく２００ミリ秒以下である、請求項３に記載の装置。
【請求項５】
前記少なくとも二つの可視光線の各々は、前記可視光放出のための時間的期間の等しい部分にわたり放出される、請求項４に記載の装置。
【請求項６】
入力／出力（Ｉ／Ｏ）デバイスをさらに含み、前記プログラム命令は、
前記画像センサによって前記少なくとも二つの可視光線の放出に反応した前記眼の瞳孔収縮の反応時間を検出し、
前記プロセッサによって、前記測定された瞳孔収縮の反応時間と予想される瞳孔収縮の反応時間との間の相違を示すデータを含む差分レポートを生成し、
前記Ｉ／Ｏデバイスによって前記差分レポートを出力する
命令をさらに含む、請求項３に記載の装置。
【請求項７】
入力／出力（Ｉ／Ｏ）デバイスをさらに含み、前記命令は、
前記赤外光源によって赤外光線を放出し、
前記画像センサによって前記赤外光線の反射を捕捉し、
前記Ｉ／Ｏデバイスによって、前記捕捉された前記赤外光線の反射の一つ以上の画像を出力する
命令をさらに含む、請求項２に記載の装置。
【請求項８】
前記画像センサは前記光源に対して同軸であり、前記装置は、
前記第一軸に沿って前記画像センサおよび前記レンズに対して一列に、および第二軸に沿って前記光源に対して一列に配置されたミラーであって、前記第一軸は前記第二軸に対して直角である、ミラー
をさらに含む、請求項１に記載の装置。
【請求項９】
ハウジング・ユニットを含む装置であって、前記ハウジング・ユニットは、一つ以上の電源に動作可能に接続された第一コンパートメントおよび第二コンパートメントを含み、前記第一コンパートメントおよび前記第二コンパートメントの各々は、
赤外光源と可視光源とを含む光源であって、電源に動作可能に接続される光源と、
第一軸に沿って前記光源に隣接して配置された画像センサであって、前記光源は、前記光源に対して一列または同軸のいずれかである、画像センサと、
前記光源と前記画像センサとの間に、前記第一軸に沿って前記画像センサに対して一列に配置されたレンズと、
外部光遮断アイピースを有する開口部であって、前記レンズの反対側で前記光源に隣接して、前記第一軸に沿って前記レンズに対して一列に配置される、開口部と
を含む、装置。
【請求項１０】
プロセッサと、前記プロセッサによって実行可能なプログラム命令を記憶する有形の記憶デバイスとを含む少なくとも一つの制御ユニットをさらに含み、前記プログラム命令は、
前記電源を介して前記赤外光源に通電することにより、前記第一コンパートメントおよび前記第二コンパートメントのそれぞれの赤外光源によって、前記開口部の方向にある時間的期間にわたり赤外光を放出し、
前記第一コンパートメントおよび前記第二コンパートメントのそれぞれの画像センサによって、前記赤外光の反射を捕捉し、
前記第一コンパートメントおよび前記第二コンパートメントのそれぞれの画像センサによって、前記捕捉された前記赤外光の反射を分析することによって、眼の画像を識別し、
前記第一コンパートメントおよび前記第二コンパートメントのそれぞれの画像センサによって、前記識別された前記眼の画像を分析することによって、前記眼の瞳孔拡張を測定し、
前記プロセッサによって、前記第一コンパートメントおよび前記第二コンパートメントの各々について、予め構成された拡張測定値以上の第一量によって前記瞳孔が拡張されていることを判断する
命令を含む、請求項９に記載の装置。
【請求項１１】
前記プログラム命令は、
電源を介して可視光源を通電することによって、前記第一コンパートメントおよび前記第二コンパートメントのそれぞれの可視光源のいずれかまたは両方によって、可視光放出のための時間的期間中に一つのコンパートメントにおいて少なくとも二つの可視光線を順次放出する
命令をさらに含み、前記少なくとも二つの光線は、第一エネルギーを有する第一可視光線と、前記第一エネルギーよりも大きい第二エネルギーを有する第二可視光線とを含む、請求項１０に記載の装置。
【請求項１２】
前記可視光放出のための時間的期間は、ゼロより大きく２００ミリ秒以下である、請求項１１に記載の装置。
【請求項１３】
前記少なくとも二つの可視光線の各々は、前記可視光放出のための時間的期間の等しい部分にわたり放出される、請求項１１に記載の装置。
【請求項１４】
入力／出力（Ｉ／Ｏ）デバイスをさらに含み、前記プログラム命令は、
前記画像センサによって、前記第一コンパートメント、前記第二コンパートメントまたはその両方における前記少なくとも二つの可視光線の放出に反応した前記眼の瞳孔収縮の反応時間を検出し、
前記測定された瞳孔収縮の反応時間と予想される瞳孔収縮の反応時間との間の相違を示すデータを含む差分レポートを生成し、
前記Ｉ／Ｏデバイスによって前記差分レポートを出力する
命令をさらに含む、請求項１１に記載の装置。
【請求項１５】
入力／出力（Ｉ／Ｏ）デバイスをさらに含み、前記プログラム命令は、
前記第一コンパートメントの前記画像センサによって、前記第一コンパートメントにおける前記少なくとも二つの可視光線の放出に反応した前記第一コンパートメントの前記開口部に配置された前記眼の瞳孔収縮の反応時間を検出し、ここで前記少なくとも二つの可視光線の順次放出は、前記可視光放出のための時間的期間にわたり前記第一コンパートメントだけで行われ、
前記第一コンパートメントで前記測定された前記眼の瞳孔収縮の反応時間と前記第二コンパートメントで前記測定された前記眼の瞳孔収縮の反応時間との間の相違を示すデータを含む差分レポートを生成し、
前記Ｉ／Ｏデバイスによって前記差分レポートを出力する
命令をさらに含む、請求項１１に記載の装置。
【請求項１６】
前記制御ユニットは、入力／出力（Ｉ／Ｏ）デバイスをさらに含み、前記命令は、
前記第一コンパートメントおよび前記第二コンパートメントのそれぞれの赤外光源によって、それぞれの赤外光線を放出し、
前記第一コンパートメントおよび前記第二コンパートメントのそれぞれの画像センサによって、前記それぞれの赤外光線の反射を捕捉し、
前記Ｉ／Ｏデバイスによって、前記第一コンパートメントおよび前記第二コンパートメントの前記捕捉された前記それぞれの赤外光線の反射の一つ以上の画像を出力する
命令をさらに含む、請求項１０に記載の装置。
【請求項１７】
一対の標的眼に光線を放出するように構成される一対の光放出デバイスであって、前記光線は、赤外光と可視光とを含む、一対の光放出デバイスと、
外部の光が前記一対の標的眼に当たるのを遮断するために前記一対の標的眼と連結するように構成される、一つまたは一対の開口部と、
前記一対の標的眼から反射された光を捕捉するように構成される一対の画像センサと、
前記一対の標的眼から反射された光を前記一対の画像センサに集束させるように構成される一対のレンズと
を含む、装置。
【請求項１８】
ある時間的期間内にエネルギーが逐次的に増加する複数の光線で前記一対の標的眼を照らすように構成されるコントローラ・ユニット
をさらに含む、請求項１７に記載の装置。
【請求項１９】
装置を使用して患者の一対の標的眼を検査するための方法であって、
前記装置の一つまたは一対の外部光遮断アイピースで前記一対の標的眼を覆うステップであって、前記覆うステップは、前記一対の外部光遮断アイピースを前記患者の顔に接触させて配置するステップを含む、ステップと、
前記一対の外部光遮断アイピースが前記患者の顔と接触する間に、前記標的眼対の瞳孔拡張をある時間的期間にわたり監視するステップと、
前記装置の一対の光源によって、前記監視に基づいて、前記一対の標的眼に赤外光を放出するステップと、
前記装置の一対の画像センサを使用して、前記一対の光源による赤外光の前記放出に反応して前記一対の標的眼によって反射された赤外光を検出するステップと
を含む、方法。
【請求項２０】
前記監視するステップは、
前記標的眼対の瞳孔が最大拡張に達したことを検出するステップ
を含む、請求項１９に記載の方法。
【請求項２１】
電源を介して前記光源に通電することによって、可視光放出のための時間的期間中に、前記光源の一つによって選択的に前記一対の標的眼の第一眼に向かって、少なくとも二つの可視光線を順次放出するステップであって、前記少なくとも二つの光線は、第一エネルギーを有する第一可視光線と、前記第一エネルギーよりも大きい第二エネルギーを有する第二可視光線とを含む、ステップ
をさらに含む、請求項１９に記載の方法。
【請求項２２】
前記第一眼および第二眼の画像を捕捉するステップと、
前記捕捉された画像に基づいて、前記一対の標的眼の前記第二眼の瞳孔収縮に対する前記第一眼の瞳孔収縮の反応時間を測定するステップと、
前記第一眼と前記第二眼とで前記測定された瞳孔収縮の反応時間の間の相違を示すデータを含む差分レポートを生成するステップと、
前記装置のＩ／Ｏデバイスによって、前記差分レポートを出力するステップと
をさらに含む、請求項２１に記載の方法。
【請求項２３】
前記可視光放出のための時間的期間は、ゼロより大きく２００ミリ秒以下である、請求項２１に記載の方法。
【請求項２４】
前記放出するステップは、
前記光源の一つによって選択的に前記一対の標的眼の第一眼に向かって、それぞれの異なる可視光スペクトルの色ごとに少なくとも一つの光線を最小エネルギーから最大エネルギーまで順次放出するステップ
をさらに含む、請求項２１に記載の方法。
【請求項２５】
前記可視光放出のための時間的期間の少なくとも一部分の間の瞳孔拡張は１００％未満である、請求項２１に記載の方法。
【請求項２６】
コンピュータ・システムにロードされ、そこで実行されたときに、前記コンピュータ・システムに請求項１９〜２５のいずれか一項に記載の方法の全てのステップを行わせる、コンピュータ・プログラム。
【請求項２７】
請求項２６に記載した前記コンピュータ・プログラムをコンピュータ可読記録媒体に記録した記録媒体。